(57)【要約】【課題】貯氷量が比較的少ないときに貯氷容器内の一側に氷を確実に集めることと、貯氷量が比較的多いときに貯氷容器内の空間を有効に活用することとを両立することのできる製氷装置、及び当該製氷装置を備えた冷蔵庫を提供する。【解決手段】製氷装置２は、貯氷容器４の内部に配置され、貯氷容器４の内部に氷がないときに一側から他側へ向かって高さが高くなる斜面を形成するように並ぶ複数の底板６，７，８と、複数の底板６，７，８のうちの隣り合う底板の端部同士を接続し、端部同士の上下方向の距離が拡大するように伸びることと、端部同士の上下方向の距離が縮小するように縮むこととが可能な伸縮部材９，１０と、復元手段とを備える。複数の底板６，７，８のうちのそれぞれの底板は、当該底板の上に氷９０が載ると、当該氷９０の重さによって下方へ変位する。復元手段は、下方へ変位した底板を元の位置へ戻すように底板に対して力を加える。【選択図】図４
2020091049.tif 000002
【特許請求の範囲】
【請求項１】
氷を作る製氷部と、
前記製氷部で作られた氷を貯える貯氷容器と、
前記貯氷容器の内部に配置され、前記貯氷容器の内部に氷がないときに一側から他側へ向かって高さが高くなる斜面を形成するように並ぶ複数の底板と、
前記複数の底板のうちの隣り合う底板の端部同士を接続し、前記端部同士の上下方向の距離が拡大するように伸びることと、前記端部同士の上下方向の距離が縮小するように縮むこととが可能な伸縮部材と、
復元手段と、
を備え、
前記複数の底板のうちのそれぞれの底板は、当該底板の上に氷が載ると、当該氷の重さによって下方へ変位し、
前記復元手段は、下方へ変位した前記底板を元の位置へ戻すように前記底板に対して力を加える製氷装置。
【請求項２】
前記復元手段は、前記底板に対して上方向の力を加える弾性部材を備える請求項１に記載の製氷装置。
【請求項３】
弾性を有する前記伸縮部材を前記復元手段として備え、
前記伸縮部材が伸びた状態から縮んだ状態へ弾性によって復元することにより、下方へ変位した前記底板を元の位置へ戻すように前記伸縮部材が前記底板に対して力を加える請求項１または請求項２に記載の製氷装置。
【請求項４】
前記復元手段は、
前記貯氷容器の底部と前記複数の底板との間に形成され、不凍液を貯留可能な第一貯留部と、
連通路を介して前記第一貯留部と連通しており、前記底板が下方へ変位したときに前記第一貯留部から前記連通路を通って流入する前記不凍液を貯留可能な第二貯留部と、
前記第二貯留部内の前記不凍液を前記第一貯留部内へ移送可能な移送手段とを備える請求項１から請求項３のいずれか一項に記載の製氷装置。
【請求項５】
氷を作る製氷部と、
前記製氷部で作られた氷を貯える貯氷容器と、
前記貯氷容器の内部に配置され、前記貯氷容器の内部に氷がないときに一側から他側へ向かって高さが高くなる斜面を形成する面状部材と、
を備え、
前記面状部材は、伸縮性及び弾性を有し、
前記面状部材の上に氷が載ると、当該氷の重さによって前記面状部材が伸びることにより前記面状部材が下方へ変位可能である製氷装置。
【請求項６】
請求項１から請求項５のいずれか一項に記載の製氷装置を備える冷蔵庫。
【発明の詳細な説明】
【技術分野】
【０００１】
本発明は、製氷装置及び冷蔵庫に関する。
【背景技術】
【０００２】
下記特許文献１に開示された従来の製氷装置が備える貯氷容器の底面は、上板と下板の二重構造をしており、上板と下板の間にバネが設けられている。そして、特許文献１には、貯氷数が少ない時は、バネにより上板が傾斜し、扉側に氷が集められ、氷が取り出し易くなる、と記載されている。
【先行技術文献】
【特許文献】
【０００３】
【特許文献１】特開平９−３０３９１８号公報
【発明の概要】
【発明が解決しようとする課題】
【０００４】
しかしながら、特許文献１の技術では、上板の上に載った氷の量が増加するにつれて、バネが縮み、上板の傾斜が緩やかになるので、氷が上板の上を滑りにくくなる。その結果、氷を扉側に確実に集めることが困難となる可能性がある。
【０００５】
本発明は、上述のような課題を解決するためになされたもので、貯氷量が比較的少ないときに貯氷容器内の一側に氷を確実に集めることと、貯氷量が比較的多いときに貯氷容器内の空間を有効に活用することとを両立することのできる製氷装置、及び当該製氷装置を備えた冷蔵庫を提供することを目的とする。
【課題を解決するための手段】
【０００６】
本発明に係る製氷装置は、氷を作る製氷部と、製氷部で作られた氷を貯える貯氷容器と、貯氷容器の内部に配置され、貯氷容器の内部に氷がないときに一側から他側へ向かって高さが高くなる斜面を形成するように並ぶ複数の底板と、複数の底板のうちの隣り合う底板の端部同士を接続し、端部同士の上下方向の距離が拡大するように伸びることと、端部同士の上下方向の距離が縮小するように縮むこととが可能な伸縮部材と、復元手段と、を備え、複数の底板のうちのそれぞれの底板は、当該底板の上に氷が載ると、当該氷の重さによって下方へ変位し、復元手段は、下方へ変位した底板を元の位置へ戻すように底板に対して力を加えるものである。
また、本発明に係る製氷装置は、氷を作る製氷部と、製氷部で作られた氷を貯える貯氷容器と、貯氷容器の内部に配置され、貯氷容器の内部に氷がないときに一側から他側へ向かって高さが高くなる斜面を形成する面状部材と、を備え、面状部材は、伸縮性及び弾性を有し、面状部材の上に氷が載ると、当該氷の重さによって面状部材が伸びることにより面状部材が下方へ変位可能であるものである。
また、本発明に係る冷蔵庫は、上記製氷装置を備えたものである。
【発明の効果】
【０００７】
本発明によれば、貯氷量が比較的少ないときに貯氷容器内の一側に氷を確実に集めることと、貯氷量が比較的多いときに貯氷容器内の空間を有効に活用することとを両立することのできる製氷装置、及び当該製氷装置を備えた冷蔵庫を提供することが可能となる。
【図面の簡単な説明】
【０００８】
【図１】実施の形態１による冷蔵庫を示す正面図である。
【図２】実施の形態１による冷蔵庫の制御系統の機能的な構成を示すブロック図である。
【図３】実施の形態１による製氷装置を示す模式的な側面断面図である。
【図４】実施の形態１による製氷装置を示す模式的な側面断面図である。
【図５】実施の形態１による製氷装置を示す模式的な側面断面図である。
【図６】実施の形態１による製氷装置を示す模式的な側面断面図である。
【図７】実施の形態１による製氷装置を示す模式的な側面断面図である。
【図８】実施の形態１による製氷装置を示す模式的な側面断面図である。
【図９】実施の形態２による製氷装置を示す模式的な側面断面図である。
【図１０】実施の形態２による製氷装置を示す模式的な側面断面図である。
【図１１】実施の形態２による製氷装置を示す模式的な側面断面図である。
【図１２】実施の形態３による製氷装置を示す模式的な側面断面図である。
【図１３】実施の形態３による製氷装置を示す模式的な側面断面図である。
【図１４】実施の形態３による製氷装置を示す模式的な側面断面図である。
【発明を実施するための形態】
【０００９】
以下、図面を参照して実施の形態について説明する。各図において共通または対応する要素には、同一の符号を付して、重複する説明を簡略化または省略する。
【００１０】
実施の形態１．
図１は、実施の形態１による冷蔵庫を示す正面図である。なお、図１及び後述する図のそれぞれは、模式的な図であり、各図に示された各構成部材の寸法の関係及び形状等は、実際とは異なる場合がある。図１に示すように、冷蔵庫１は、本体１００と、製氷装置２とを備える。本体１００は、前面すなわち正面が開口された断熱箱体を有する。外部から断熱される空間が断熱箱体の内部に形成される。典型的には、断熱箱体は、金属製の外箱と、樹脂製の内箱と、外箱と内箱との間の空間に充填された断熱材とを有している。断熱箱体の内部の空間が、１つまたは複数の仕切部材により区画されることにより、食品等を保存可能な複数の貯蔵室が形成されている。冷蔵庫１の正面には、各貯蔵室の扉が設けられている。各貯蔵室の扉は、例えば、ヒンジを中心に回転することで開くように構成されていてもよいし、手前側に引き出すことによって開くように構成されていてもよい。本実施の形態の冷蔵庫１は、複数の貯蔵室として、冷蔵室１０１と、氷室１０２と、冷凍室１０３と、野菜室１０４とを備える。なお、冷蔵庫１が備える貯蔵室の種類、数、配置、及び形状は、図示の構成に限定されるものではない。
【００１１】
図２は、実施の形態１による冷蔵庫１の制御系統の機能的な構成を示すブロック図である。図２に示すように、冷蔵庫１は、制御装置５０と、冷却機構５１と、給水装置５２とを備える。制御装置５０は、製氷装置２、冷却機構５１、及び給水装置５２のそれぞれと電気的に接続されている。冷蔵庫１の動作は、製氷装置２の動作を含め、制御装置５０により制御される。
【００１２】
冷蔵室１０１は、第一扉１０５及び第二扉１０６を有する。第一扉１０５及び第二扉１０６は、観音開き式になっている。第一扉１０５及び第二扉１０６の少なくとも一方を開くことにより、冷蔵室１０１内に食品を入れたり冷蔵室１０１内の食品を取り出したりすることができる。冷蔵室１０１の扉は、観音開き式に限定されるものではなく、単一の扉でもよい。
【００１３】
氷室１０２及び冷凍室１０３は、冷蔵室１０１の下に配置されている。製氷装置２は、氷室１０２内に配置されている。図１では、氷室１０２の扉１０７を透視して製氷装置２を表している。製氷装置２は、氷を作る製氷部３と、製氷部３で作られた氷を貯える貯氷容器４とを備える。本実施の形態の製氷装置２は、氷を自動的に作るように構成されている。氷室１０２の扉１０７は、手前側に引き出すことによって開くように構成されていてもよい。その場合、貯氷容器４が扉１０７に連結され、貯氷容器４が扉１０７とともに手前側に引き出される構成であってもよい。
【００１４】
冷凍室１０３の扉１０８は、手前側に引き出すことによって開くように構成されていてもよい。その場合、冷凍室１０３内の食品を収納するかご（図示省略）が扉１０８に連結され、当該かごが扉１０８とともに手前側に引き出される構成であってもよい。
【００１５】
野菜室１０４は、氷室１０２及び冷凍室１０３の下に配置されている。野菜室１０４の扉１０９は、手前側に引き出すことによって開くように構成されていてもよい。その場合、野菜室１０４内の食品を収納するかご（図示省略）が扉１０９に連結され、当該かごが扉１０９とともに手前側に引き出される構成であってもよい。
【００１６】
図示を省略するが、給水装置５２は、製氷用の水を貯留する給水タンクと、給水タンクから製氷装置２の製氷部３へポンプにより水を供給する給水経路とを備え、製氷部３へ自動的に給水可能になっている。給水タンクは、例えば冷蔵室１０１の内部に配置されている。
【００１７】
制御装置５０は、以下のように構成されてもよい。制御装置５０の各機能は、処理回路により実現されてもよい。制御装置５０の処理回路は、少なくとも１つのプロセッサ５０ａと少なくとも１つのメモリ５０ｂとを備えてもよい。処理回路が少なくとも１つのプロセッサ５０ａと少なくとも１つのメモリ５０ｂとを備える場合、制御装置５０の各機能は、ソフトウェア、ファームウェア、またはソフトウェアとファームウェアとの組み合わせにより実現されてもよい。ソフトウェア及びファームウェアの少なくとも一方は、プログラムとして記述されてもよい。ソフトウェア及びファームウェアの少なくとも一方は、少なくとも１つのメモリ５０ｂに格納されてもよい。少なくとも１つのプロセッサ５０ａは、少なくとも１つのメモリ５０ｂに記憶されたプログラムを読み出して実行することにより、制御装置５０の各機能を実現してもよい。少なくとも１つのメモリ５０ｂは、不揮発性または揮発性の半導体メモリ、磁気ディスク等を含んでもよい。制御装置５０の処理回路は、少なくとも１つの専用のハードウェアを備えてもよい。処理回路が少なくとも１つの専用のハードウェアを備える場合、処理回路は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、またはこれらを組み合わせたものでもよい。制御装置５０の各部の機能がそれぞれ処理回路で実現されても良い。また、制御装置５０の各部の機能がまとめて処理回路で実現されても良い。制御装置５０の各機能について、一部を専用のハードウェアで実現し、他の一部をソフトウェアまたはファームウェアで実現してもよい。処理回路は、ハードウェア、ソフトウェア、ファームウェア、またはこれらの組み合わせによって、制御装置５０の各機能を実現しても良い。単一の制御装置５０により動作が制御される構成に限定されるものではなく、複数の制御装置が連携することで動作を制御する構成にしてもよい。
【００１８】
図３は、実施の形態１による製氷装置２を示す模式的な側面断面図である。図３中の左側が冷蔵庫１の手前側すなわち正面側に相当し、図３中の右側が冷蔵庫１の奥側すなわち背面側に相当する。図３中で貯氷容器４の左側に氷室１０２の扉１０７が本来は位置するが、図３及び以降の図では扉１０７の図示を省略する。図３は、貯氷容器４内に氷９０がないときの状態を示している。
【００１９】
以下の説明では、便宜上、図３中で左の方向を「前」とし、図３中で右の方向を「後」とし、図３の紙面に垂直な方向を「左右方向」とする。
【００２０】
図３に示すように、製氷部３は、製氷皿１４と、皿回転装置１５とを備える。製氷皿１４は、氷９０を作るための凹部１４ａを有する。凹部１４ａの形状が氷９０の形状に対応する。製氷皿１４は、複数の凹部１４ａを有しており、複数個の氷９０を一度に作ることができる。本実施の形態における製氷皿１４は、前後方向に６個、左右方向に２個の、６×２の行列状に並ぶ計１２個の凹部１４ａを有しており、一度に１２個の氷９０を一度に作ることができる。製氷皿１４が一度に作ることができる氷９０の個数は、この例に限定されるものではない。
【００２１】
本実施の形態において氷９０の形状、すなわち凹部１４ａの形状は、四角錐台状である。この氷９０の寸法、すなわち凹部１４ａの寸法は、例えば、縦３０ｍｍ、横２０ｍｍ程度でもよい。氷９０の形状、すなわち凹部１４ａの形状は、図示の例に限定されるものではなく、例えば、キューブ状の形状、多面体状の形状、星形、ハート形、三日月形、球状、半球状、円柱状、半円柱状などでもよい。使用者は、氷９０を使う際には、扉１０７を開いて、貯氷容器４から氷９０を手動で取り出すことができる。
【００２２】
製氷皿１４は、回転軸１６を中心に回転可能になっている。回転軸１６は、前後方向に平行である。皿回転装置１５は、回転軸１６を中心に製氷皿１４を回転させることによって製氷皿１４の上下を反転させるアクチュエータに相当する。
【００２３】
本実施の形態では、制御装置５０は、以下のようにして、製氷装置２が氷９０を自動的に作るように制御する。製氷装置２は、製氷皿１４内に氷９０ができたかどうかを検出する製氷センサ（図示省略）を備える。製氷皿１４内に氷９０ができたことを製氷センサが検出すると、制御装置５０は、皿回転装置１５により製氷皿１４を回転させる。皿回転装置１５が製氷皿１４を回転させると、製氷皿１４は、貯氷容器４の上で、上下反転した姿勢になる。製氷装置２は、製氷皿１４から氷９０を分離させる離氷手段（図示省略）を備える。離氷手段は、例えば、製氷皿１４を捻って変形させることによって製氷皿１４から氷９０を分離させるように構成されていてもよい。あるいは、離氷手段は、製氷皿１４を加熱して氷９０の表面を融かすことによって製氷皿１４から氷９０を分離させるように構成されていてもよい。製氷皿１４から分離した氷９０は、貯氷容器４内へ落下する。
【００２４】
製氷皿１４から氷９０が分離した後、制御装置５０は、皿回転装置１５により製氷皿１４を回転させて製氷皿１４を元の姿勢に戻す。その後、制御装置５０は、給水装置５２により、製氷皿１４内に水を供給し、次回の製氷を開始させる。このような工程を繰り返すことにより、製氷装置２は、一日のうちに複数回、氷９０を作ることができる。
【００２５】
貯氷容器４は、底壁４ａと、前壁４ｂと、後壁４ｃとを有する。底壁４ａは、貯氷容器４の底部を形成する。底壁４ａの上面の少なくとも一部は、水平になっている。前壁４ｂは、貯氷容器４の前面を形成する。前壁４ｂは、底壁４ａの前端部から上方へ向かって突出している。後壁４ｃは、貯氷容器４の後面を形成する。後壁４ｃは、底壁４ａの後端部から上方へ向かって突出している。図示を省略するが、貯氷容器４は、左の側面を形成する側壁と、右の側面を形成する側壁とをさらに備えている。
【００２６】
本実施の形態において、前後方向についての貯氷容器４の長さは、前後方向についての製氷皿１４の長さよりも長い。また、前後方向についての貯氷容器４の中心位置は、前後方向についての製氷皿１４の中心位置よりも前方にある。前後方向の位置に関して、貯氷容器４の後端は、製氷皿１４の後端とほぼ同じ位置にある。前後方向の位置に関して、貯氷容器４の前端は、製氷皿１４の前端よりも前方の位置にある。また、貯氷容器４の左右方向の長さは、製氷皿１４の左右方向の長さよりも大きい。なお、上述した「長さ」とは、貯氷容器４及び製氷皿１４の内法の長さを指すものとする。
【００２７】
貯氷容器４は、製氷皿１４が１回に作る氷９０の量の複数倍の氷９０を貯えることのできる容量を有する。例えば、貯氷容器４は、製氷皿１４が１回に作る氷９０の量の５倍から１０倍の量の氷９０を貯えることのできる容量を有していてもよい。
【００２８】
製氷装置２は、貯氷容器４の内部に配置された３枚の底板６，７，８と、伸縮部材９，１０と、弾性部材１１，１２，１３とをさらに備えている。底板６，７，８は、貯氷容器４の内部に氷９０がないときに、一側から他側へ向かって高さが高くなる斜面を形成するように並ぶ。底板６は、底板６，７，８のうちで、最も前に位置する。底板７は、底板６の後ろに位置する。底板８は、底板７の後ろに位置する。底板８は、底板６，７，８のうちで、最も後ろに位置する。貯氷容器４の内部に氷９０がないとき、底板６，７，８の上面により形成される斜面は、前から後ろへ向かって高さが高くなる。
【００２９】
本実施の形態は、３枚の底板６，７，８が前後方向に並ぶようにしているが、変形例として、２枚の底板が前後方向に並ぶようにしてもよいし、４枚以上の底板が前後方向に並ぶようにしてもよい。
【００３０】
底板６，７，８のそれぞれは、平板状の形状を有する。図示の例では、底板６，７，８のそれぞれは、前後方向の長さが互いにほぼ等しい。このような構成に限らず、底板６，７，８は、前後方向の長さが互いに異なるものでもよい。図示の例では、貯氷容器４の内部に氷９０がないときの底板６，７，８の傾斜角度は、互いにほぼ等しい。このような構成に限らず、貯氷容器４の内部に氷９０がないときの底板６，７，８の傾斜角度が互いに異なっていてもよい。
【００３１】
伸縮部材９は、隣り合う底板６，７の端部同士を接続する。すなわち、伸縮部材９は、底板６の後端部と、底板７の前端部との間を接続する。伸縮部材９は、底板６の後端部と底板７の前端部との間の上下方向の距離が拡大するように伸びることと、底板６の後端部と底板７の前端部との間の上下方向の距離が縮小するように縮むこととが可能である。貯氷容器４の内部に氷９０がないときには、伸縮部材９は最も縮んだ状態になっており、底板６の後端部と底板７の前端部との間の上下方向の距離が最小になっている。図示の例では、底板６の後端部の上面及び底板７の前端部の上面よりも上に伸縮部材９が突出しているが、底板６の後端部の上面及び底板７の前端部の上面よりも上に伸縮部材９が突出しないように構成してもよい。すなわち、貯氷容器４の内部に氷９０がないときに、底板６の後端部と底板７の前端部との間が、ほぼ段差無く、滑らかに連続するようにしてもよい。
【００３２】
伸縮部材１０は、隣り合う底板７，８の端部同士を接続する。すなわち、伸縮部材１０は、底板７の後端部と、底板８の前端部との間を接続する。伸縮部材１０は、底板７の後端部と底板８の前端部との間の上下方向の距離が拡大するように伸びることと、底板７の後端部と底板８の前端部との間の上下方向の距離が縮小するように縮むこととが可能である。貯氷容器４の内部に氷９０がないときには、伸縮部材１０は最も縮んだ状態になっており、底板７の後端部と底板８の前端部との間の上下方向の距離が最小になっている。図示の例では、底板７の後端部の上面及び底板８の前端部の上面よりも上に伸縮部材１０が突出しているが、底板７の後端部の上面及び底板８の前端部の上面よりも上に伸縮部材１０が突出しないように構成してもよい。すなわち、貯氷容器４の内部に氷９０がないときに、底板７の後端部と底板８の前端部との間が、ほぼ段差無く、滑らかに連続するようにしてもよい。
【００３３】
伸縮部材９，１０のそれぞれは、例えば蛇腹状の構造を有していてもよい。伸縮部材９，１０のそれぞれは、伸びた状態から縮んだ状態へ自動的に復元する弾性を有するものでもよいし、そのような弾性を有しないものでもよい。伸縮部材９，１０が弾性を有する場合には、伸縮部材９，１０がゴム材料で作られていてもよい。氷室１０２内は、例えば−１８℃程度まで冷却されるので、上記ゴム材料としては、耐寒限界温度が、−２０℃以下のもの、より好ましくは−３０℃以下のものを用いるとよい。そのような耐寒限界温度を有するゴム材料としては、例えば、ニトリルゴム、水酸化ニトリルゴム、シリコーンゴム、エチレンプロピレンゴム、クロロプレンゴム、ブチルゴム、ウレタンゴム、クロロスルフォン化ポリエチレンゴム、エピクロルヒドリンゴム、天然ゴムなどが挙げられる。
【００３４】
底板６の上に氷９０が載ると、その氷９０の重さによって底板６が下方へ変位しうる。弾性部材１１は、下方へ変位した底板６を元の位置へ戻すように底板６に対して力を加える復元手段に相当する。底板６が下方へ変位すると、弾性部材１１は、底板６に対して上方向の力を加える。弾性部材１１は、底壁４ａと底板６との間に配置されている。底板６が下方へ変位すると、弾性部材１１が圧縮される。圧縮された弾性部材１１が元の形状へ戻ろうとする弾性により、底板６に対して上方向の力が作用する。
【００３５】
底板７の上に氷９０が載ると、その氷９０の重さによって底板７が下方へ変位しうる。弾性部材１２は、下方へ変位した底板７を元の位置へ戻すように底板７に対して力を加える復元手段に相当する。底板７が下方へ変位すると、弾性部材１２は、底板７に対して上方向の力を加える。弾性部材１２は、底壁４ａと底板７との間に配置されている。底板７が下方へ変位すると、弾性部材１２が圧縮される。圧縮された弾性部材１２が元の形状へ戻ろうとする弾性により、底板７に対して上方向の力が作用する。
【００３６】
底板８の上に氷９０が載ると、その氷９０の重さによって底板８が下方へ変位しうる。弾性部材１３は、下方へ変位した底板８を元の位置へ戻すように底板８に対して力を加える復元手段に相当する。底板８が下方へ変位すると、弾性部材１３は、底板８に対して上方向の力を加える。弾性部材１３は、底壁４ａと底板８との間に配置されている。底板８が下方へ変位すると、弾性部材１３が圧縮される。圧縮された弾性部材１３が元の形状へ戻ろうとする弾性により、底板８に対して上方向の力が作用する。
【００３７】
弾性部材１１，１２，１３のそれぞれは、例えば、金属製のばねで構成されていてもよいし、前述したようなゴム材料で構成されていてもよいし、複数の材料から作られていてもよい。
【００３８】
弾性部材１１，１２，１３が縮んだときに弾性部材１１，１２，１３を収容可能な凹部（図示省略）が底壁４ａに形成されていてもよい。そのような凹部が形成されている場合には、底板６，７，８の下面が底壁４ａの上面に接するような位置にまで底板６，７，８が下方へ変位することが可能となる。
【００３９】
また、図示の構成に代えて、弾性部材１１，１２，１３が底板６，７，８を釣り下げる状態となるように両者を配置してもよい。そのように配置した場合には、底板６，７，８が下方へ変位すると、弾性部材１１，１２，１３が伸長し、伸長した弾性部材１１，１２，１３が元の形状へ戻ろうとする弾性により、底板６，７，８に対して上方向の力が作用する。
【００４０】
図示の例では、弾性部材１１，１２，１３のそれぞれを一つのコイルばねで代表して示しているが、弾性部材１１，１２，１３のそれぞれが複数の部品から構成されていてもよい。例えば、弾性部材１２として、前後方向に関して異なる位置で底板７に接続される複数のばねを設けてもよい。その場合、複数のばねの長さを変えることにより、底板７の上に氷９０がないときに底板７が所定の傾斜角度の姿勢に戻るように構成してもよい。同様にして、弾性部材１３として、前後方向に関して異なる位置で底板８に接続される複数のばねを設けてもよい。その場合、複数のばねの長さを変えることにより、底板８の上に氷９０がないときに底板８が所定の傾斜角度の姿勢に戻るように構成してもよい。
【００４１】
底板６の前端部は、回転軸１７に連結されている。回転軸１７は、左右方向に平行である。底板６は、回転軸１７を中心に回転可能である。図３に示す状態から底板６が時計回りに回転すると、底板６の後端部が下方へ変位する。このとき、底板６の前端部は下方へ変位しない。図示の例では、底壁４ａと前壁４ｂとの間の角部に回転軸１７が配置されている。
【００４２】
底板８の後端部は、上下方向にスライド可能なスライド部１８に連結されている。図示の例では、スライド部１８は、後壁４ｃに沿って上下方向に移動可能になっている。また、底板８は、スライド部１８を中心に回転可能である。スライド部１８を中心に底板８が回転すると、底板８の傾斜角度が変化する。
【００４３】
図４から図８は、図３と比べて、貯氷容器４内にある氷９０の量が異なる状態を示した図である。図４は、図３の状態から、１回目の製氷によって製氷部３で作られた氷９０が貯氷容器４内に落下した後の状態、すなわち１回分の製氷で作られる量の氷９０が貯氷容器４内にあるときの状態を示している。図４に示す状態に至る過程では、以下のようになる。製氷部３から貯氷容器４内に落下した氷９０は、底板６，７，８によって形成される斜面を滑って前方へ移動し、底板６の上に集まる。その結果、底板６の上の氷９０の重さによって弾性部材１１が変形し、底板６が下方へ変位する。底板６は、図３の状態よりも傾斜が緩やかになる。底板７，８の上には氷９０がないので、弾性部材１２，１３は変形せず、底板７，８は下方へ変位していない。底板７，８の傾斜角度は、図３の状態と同じである。伸縮部材９は伸長し、底板６の後端部と底板７の前端部との間の上下方向の距離は図３の状態よりも拡大する。その結果、底板６の後端部と底板７の前端部との間に段差が形成される。底板６の後端部と底板７の前端部との隙間は、伸縮部材９によって塞がれている。このため、氷９０及びその破片が、当該隙間から、底板６，７と底壁４ａとの間に侵入することを確実に防止できる。
【００４４】
図５は、図４の状態から、２回目の製氷によって製氷部３で作られた氷９０が貯氷容器４内に落下した後の状態、すなわち２回分の製氷で作られる量の氷９０が貯氷容器４内にあるときの状態を示している。図５に示す状態に至る過程では、以下のようになる。製氷部３から貯氷容器４内に落下した氷９０は、底板７，８によって形成される斜面を滑って前方へ移動し、底板６の上に集まる。このとき、底板７，８の傾斜は、図３の状態と比べて緩やかになっていない。このため、底板７，８によって形成される斜面によって氷９０を確実に前方へ移動させることができる。特に、球形あるいは円柱形でなく、転がりにくい形状の氷９０であっても、底板７，８によって形成される斜面の上を確実に移動させることができる。よって、図５の状態で使用者が貯氷容器４から氷９０を取り出すと仮定した場合、貯氷容器４の手前側に氷９０が確実に集まっているので、氷９０を取り出しやすい。また、底板６の後端部と底板７の前端部との間に段差が形成されているので、底板７の上を滑ってきた氷９０は、底板６の上にある氷９０の上に容易に乗り上がることができる。このため、底板６の上に複数段に氷９０を積み上げることができるので、貯氷容器４内の空間を有効に活用することができる。また、底板６の上にある氷９０の量が増加することで、底板６は、最大限に下方へ変位した状態となる。このとき、底板６は、水平になってもよい。
【００４５】
図６は、図５の状態から、３回目の製氷によって製氷部３で作られた氷９０が貯氷容器４内に落下した後の状態、すなわち３回分の製氷で作られる量の氷９０が貯氷容器４内にあるときの状態を示している。図６に示す状態に至る過程では、以下のようになる。製氷部３から貯氷容器４内に落下した氷９０は、底板７，８によって形成される斜面を滑って前方へ移動する。底板７の上を滑ってきた氷９０が、底板６の上に積み上がった氷９０の上に乗り上がることができなくなると、底板７の上の前寄りの範囲に氷９０が溜まる。底板７の上の氷９０の重さによって弾性部材１２が変形し、底板７の前端部が下方へ変位する。底板６の後端部と底板７の前端部との間の上下方向の距離は、図５の状態よりも縮小する。底板７の傾斜は、図３から図５の状態よりも急になっている。このため、底板７の上の氷９０をより確実に前方へ移動させることができる。よって、図６の状態で使用者が貯氷容器４から氷９０を取り出すと仮定した場合、貯氷容器４の手前側に氷９０がより確実に集まっているので、氷９０を取り出しやすい。底板８の上には氷９０がないので、弾性部材１３は変形せず、底板８は下方へ変位していない。底板８の傾斜は、図３の状態と比べて緩やかになっていないので、底板８が形成する斜面によって氷９０をより確実に前方へ移動させることができる。
【００４６】
図７は、図６の状態から、さらに複数回の製氷が行われた後の状態、すなわち複数回分の製氷で作られる量の氷９０が貯氷容器４内にさらに追加された後の状態を示している。図６の状態から図７の状態に移行する過程では、以下のようになる。製氷部３から底板７，８の上に落下した氷９０は、底板７，８によって形成される斜面を滑って前方へ移動する。図７の上に氷９０がさらに集まるにつれて、弾性部材１２の変形量が大きくなり、底板７がさらに下方に変位していく。伸縮部材１０は伸長し、底板７の後端部と底板８の前端部との間の上下方向の距離が拡大する。その結果、底板７の後端部と底板８の前端部との間に段差が形成される。底板７の後端部と底板８の前端部との隙間は、伸縮部材１０によって塞がれている。このため、氷９０及びその破片が、当該隙間から、底板７，８と底壁４ａとの間に侵入することを確実に防止できる。底板７の後端部と底板８の前端部との間に段差が形成されているので、底板８の上を滑ってきた氷９０は、底板７の上にある氷９０の上に容易に乗り上がることができる。このため、底板７の上に複数段に氷９０を積み上げることができるので、貯氷容器４内の空間を有効に活用することができる。底板７の上にある氷９０の量が増加することで、底板７は、最大限に下方へ変位した状態となる。このとき、底板７は、水平になってもよい。貯氷量が増加したときに、底板７が下方へ変位することで、貯氷容器４内の空間を有効に活用して氷９０を貯えることができる。底板８の上を滑ってきた氷９０が、底板７の上に積み上がった氷９０の上に乗り上がることができなくなると、底板８の上の前寄りの範囲に氷９０が溜まる。底板８の上の氷９０の重さによって弾性部材１３が変形し、底板８の前端部が下方へ変位する。底板８の傾斜は、図３の状態よりも急になっている。このため、底板８によって形成される斜面によって氷９０を確実に前方へ移動させることができる。
【００４７】
図８は、図７の状態から、さらに１回または複数回の製氷が行われた後の状態、すなわち１回または複数回分の製氷で作られる量の氷９０が貯氷容器４内にさらに追加された後の状態を示している。図７の状態から図８の状態に移行する過程では、以下のようになる。底板８の上に溜まる氷９０の量が増加するにつれて、弾性部材１３の変形量がより大きくなるとともにスライド部１８が下方へスライドする。これにより、底板８は、全体的に下方へ変位する。底板８が最大限に下方へ変位した状態のとき、底板８は、水平になってもよい。貯氷量が増加したときに、底板８が下方へ変位することで、貯氷容器４内の空間を有効に活用して氷９０を貯えることができる。
【００４８】
以上説明したように、本実施の形態であれば、貯氷容器４内の貯氷量が比較的少ないときには貯氷容器４内の手前側に氷９０を確実に集めることができる。このため、貯氷容器４内の貯氷量が比較的少ないときでも使用者が氷９０を取り出す操作をしやすい。また、貯氷容器４内の貯氷量が比較的少ないときには底板６のみが下方へ変位して底板６の上にのみ氷９０が貯えられる。貯氷量が増加すると次に底板７が下方へ変位し、底板７の上にも氷９０が貯えられる。さらに貯氷量が増加すると底板８が下方へ変位し、底板８の上にも氷９０が貯えられる。したがって、底板６の上にある氷９０が最も古く、底板７の上にある氷９０がその次に古く、底板８の上にある氷９０が最も新しい。使用者が貯氷容器４から氷９０を取り出すときには、最も手前にある底板６の上にある氷９０が取り出される可能性が高い。このため、最も古い氷９０から順に使用されることになるので、古い氷９０が貯氷容器４内に残存することを確実に抑制できる。
【００４９】
本実施の形態では、下方へ変位した底板６，７，８を元の位置へ戻すように底板６，７，８に対して力を加える復元手段として、弾性部材１１，１２，１３を設けた構成について説明したが、復元手段は、弾性部材１１，１２，１３のようなものに限定されない。例えば、弾性を有する伸縮部材９，１０を復元手段として備え、伸縮部材９，１０が伸びた状態から縮んだ状態へ弾性によって復元することにより、下方へ変位した底板６，７，８を元の位置へ戻すように伸縮部材９，１０が底板６，７，８に対して力を加えるように構成してもよい。このように、弾性を有する伸縮部材９，１０が復元手段として機能する場合には、弾性部材１１，１２，１３のうちの少なくとも一つが省略されていてもよい。弾性部材１３を省略する場合には、スライド部１８が下方へ変位したときにスライド部１８を上方の位置へ戻すようにスライド部１８に力を加える機構が備えられていてもよい。
【００５０】
実施の形態２．
次に、図９から図１１を参照して、実施の形態２について説明するが、前述した実施の形態１との相違点を中心に説明し、同一部分または相当部分については説明を簡略化または省略する。図９は、実施の形態２による製氷装置１９を示す模式的な側面断面図である。図９は、貯氷容器４内に氷９０がないときの状態を示している。
【００５１】
本実施の形態の製氷装置１９は、実施の形態１の製氷装置２と比べて、下方へ変位した底板６，７，８を元の位置へ戻すように底板６，７，８に対して力を加える復元手段の構成が異なる。本実施の形態における復元手段は、実施の形態１の弾性部材１１，１２，１３に代えて、不凍液を貯留可能な第一貯留部２０と、連通路２２を介して第一貯留部２０と連通した第二貯留部２１と、連通路２２に設けられた調節部２３とを備える。なお、図９から図１１では、不凍液が存在する領域にハッチングを付している。
【００５２】
第一貯留部２０は、貯氷容器４の底部に相当する底壁４ａと、複数の底板６，７，８との間に形成されている。図９に示す側面視において、第一貯留部２０は、底壁４ａと、底板６，７，８と、後壁４ｃとで囲まれる三角形の形状を有する。第一貯留部２０は、不凍液の漏れを防止するように構成されている。例えば、底板６の後端部と底板７の前端部との間は、伸縮部材９により塞がれることで、不凍液の漏れが防止される。底板７の後端部と底板８の前端部との間は、伸縮部材１０により塞がれることで、不凍液の漏れが防止される。
【００５３】
第一貯留部２０内は、不凍液で満たされている。図９の状態のとき、第一貯留部２０の容積は最大であり、第一貯留部２０内の不凍液の量も最大である。底板６，７，８のそれぞれが下方へ変位するにつれて、第一貯留部２０の容積が減少し、第一貯留部２０内の不凍液の量も減少する。
【００５４】
第二貯留部２１は、貯氷容器４の外部に形成されている。図示の例では、貯氷容器４の後方に第二貯留部２１が形成されている。連通路２２は、貯氷容器４の後壁４ｃの下部に形成された不凍液の出入口と、第二貯留部２１の下部に形成された不凍液の出入口との間を接続する流路である。図示の例では、貯氷容器４の後方に配置されたタンク２４の内部が第二貯留部２１に相当している。第二貯留部２１の容積は不変である。不凍液は、連通路２２を通って、第一貯留部２０と第二貯留部２１との間を移動可能である。第一貯留部２０内の不凍液の量が多くなるほど、第二貯留部２１内の不凍液の量が少なくなる。図９に示す例では、不凍液の全量が第一貯留部２０内にある。このような構成に限らず、第一貯留部２０の容積が最大のときにも第二貯留部２１内に不凍液が残留するようにしてもよい。
【００５５】
調節部２３は、連通路２２の不凍液の流通を調節する。調節部２３は、例えば、不凍液の流通を調節する弁を備えていてもよい。この弁は、自律的に動作する弁でもよいし、制御装置５０により制御されて動作する弁でもよい。また、調節部２３は、第二貯留部２１から第一貯留部２０へ不凍液を移送するポンプを備えていてもよい。
【００５６】
底板６，７，８は、第一貯留部２０内の不凍液から圧力あるいは浮力を受ける。これにより、底板６，７，８には、上方向への力が作用する。ストッパー４ｄ，４ｅ，４ｆ，４ｇ，４ｈのそれぞれは、貯氷容器４の左側面の内壁及び右側面の内壁から突出する凸部である。図９に示す状態では、底板６の上面がストッパー４ｄに接し、底板７の上面がストッパー４ｅ及び４ｆに接し、底板８の上面がストッパー４ｇ及び４ｈに接している。これにより、底板６，７，８は、図９の位置よりも上に移動しないようになっている。
【００５７】
図９に示す状態では、底板６，７，８がストッパー４ｄ，４ｅ，４ｆ，４ｇ，４ｈにより所定位置に位置決めされることで、底板６，７，８は、図３の例と同様の斜面を形成する。
【００５８】
図１０は、図９の状態から、１回目の製氷によって製氷部３で作られた氷９０が貯氷容器４内に落下した後の状態、すなわち１回分の製氷で作られる量の氷９０が貯氷容器４内にあるときの状態を示している。図１０に示す状態に至る過程では、以下のようになる。製氷部３から貯氷容器４内に落下した氷９０は、底板６，７，８によって形成される斜面を滑って前方へ移動し、底板６の上に集まる。その結果、底板６の上の氷９０の重さによって底板６が下方へ変位する。底板６が下方へ変位すると第一貯留部２０の容積が減少し、その減少した分だけ不凍液が連通路２２を通って第一貯留部２０から第二貯留部２１へ移動する。底板７，８の上には氷９０がないので、底板７，８は下方へ変位していない。伸縮部材９は伸長し、底板６の後端部と底板７の前端部との間の上下方向の距離は図９の状態よりも拡大する。その結果、底板６の後端部と底板７の前端部との間に段差が形成される。
【００５９】
図１０の状態から製氷部３による製氷が繰り返され、貯氷容器４内の貯氷量が増えていくときの底板６，７，８の動きは、実施の形態１と同様である。すなわち、貯氷容器４内の貯氷量が比較的少ないときには底板６のみが下方へ変位して底板６の上にのみ氷９０が貯えられる。貯氷量が増加すると次に底板７が下方へ変位し、底板７の上にも氷９０が貯えられる。さらに貯氷量が増加すると底板８が下方へ変位し、底板８の上にも氷９０が貯えられる。そして、底板６，７，８が順次下方へ変位するにつれて、第一貯留部２０の容積が減少し、第一貯留部２０内の不凍液が連通路２２を通って第一貯留部２０から第二貯留部２１へ移動し、第二貯留部２１内の不凍液が増加する。
【００６０】
図１１は、貯氷容器４内の貯氷量が十分に多くなり、底板６，７，８が最大限に下方へ変位したときの状態を示している。図１１に示す例では、底板６，７，８の下面が底壁４ａの上面に接しており、第一貯留部２０の容積がゼロに近い状態となっている。このような構成に限らず、底板６，７，８が最大限に下方へ変位したときに第一貯留部２０に不凍液が残存するように構成してもよい。本実施の形態であれば、図９の状態から図１１の状態に至る過程において、実施の形態１と同様の効果が得られる。
【００６１】
本実施の形態における復元手段は、第二貯留部２１内の不凍液を第一貯留部２０内へ移送可能な移送手段を備える。第二貯留部２１から第一貯留部２０へ不凍液を移送するポンプを調節部２３が備える場合には、当該ポンプが移送手段に相当する。また、移送手段は、第一貯留部２０と第二貯留部２１との間の高低差によって第二貯留部２１内の不凍液を第一貯留部２０内へ移送するものでもよい。すなわち、第一貯留部２０よりも高い位置に第二貯留部２１を形成し、第二貯留部２１内の不凍液が重力により第一貯留部２０内へ戻るように構成してもよい。
【００６２】
使用者が貯氷容器４から氷９０を取り出すことによって貯氷容器４内の貯氷量が減少すると、第二貯留部２１内の不凍液が移送手段により第一貯留部２０内へ移送されることによって、底板６，７，８が元の位置へ戻ることができる。この場合、貯氷量が減少するにつれて、連通路２２に最も近い底板８が先に上方へ移動し、次いで底板７が上方へ移動し、その後に底板６が上方へ移動する。
【００６３】
実施の形態３．
次に、図１２から図１４を参照して、実施の形態３について説明するが、前述した実施の形態１との相違点を中心に説明し、同一部分または相当部分については説明を簡略化または省略する。図１２は、実施の形態３による製氷装置２５を示す模式的な側面断面図である。図１２は、貯氷容器４内に氷９０がないときの状態を示している。
【００６４】
本実施の形態の製氷装置２５は、実施の形態１における底板６，７，８、伸縮部材９，１０、弾性部材１１，１２，１３、回転軸１７、及びスライド部１８に代えて、面状部材２６を備えている。面状部材２６は、貯氷容器４の内部に配置されている。面状部材２６は、貯氷容器４の内部に氷がないときに、一側から他側へ向かって高さが高くなる斜面を形成する。すなわち、貯氷容器４の内部に氷９０がないとき、面状部材２６の上面により形成される斜面は、前から後ろへ向かって高さが高くなる。
【００６５】
面状部材２６は、伸縮性及び弾性を有する。面状部材２６は、面方向に伸縮するように弾性変形可能である。面状部材２６は、例えば、ゴム材料で作られた薄いシート状の部材でもよい。ゴム材料としては、例えば、実施の形態１で例示したものを用いることができる。貯氷容器４の底壁４ａと、面状部材２６との間には空間がある。面状部材２６の上に氷９０が載ると、その氷９０の重さによって面状部材２６が伸びることにより、面状部材２６が下方へ変位可能である。
【００６６】
面状部材２６の前端部２６ａは、底壁４ａと前壁４ｂとの間の角部に固定されている。面状部材２６の後端部２６ｂは、前端部２６ａよりも高い位置において後壁４ｃに固定されている。貯氷容器４の内部に氷９０がないとき、面状部材２６は、前端部２６ａから後端部２６ｂまで直線的に延びている。図１２の状態のときに面状部材２６に張力が作用するように面状部材２６を設置してもよい。すなわち、図１２の状態のときに面状部材２６が自然状態よりも伸びた状態になっていてもよい。
【００６７】
図１３は、図１２の状態から、１回目の製氷によって製氷部３で作られた氷９０が貯氷容器４内に落下した後の状態、すなわち１回分の製氷で作られる量の氷９０が貯氷容器４内にあるときの状態を示している。図１３に示す状態に至る過程では、以下のようになる。製氷部３から貯氷容器４内に落下した氷９０は、面状部材２６によって形成される斜面を滑って前方へ移動し、貯氷容器４内の前方に集まる。面状部材２６の上の氷９０の重さによって面状部材２６が伸びて、面状部材２６が下方へ変位する。面状部材２６の前方領域２６ｃの上には氷９０が載っている。この前方領域２６ｃの傾斜は、図１３の状態よりも緩やかになる。面状部材２６の後方領域２６ｄの上には氷９０が載っていない。この後方領域２６ｄの傾斜は、図１３の状態よりも急になる。
【００６８】
図１４は、図１３の状態から、２回目の製氷によって製氷部３で作られた氷９０が貯氷容器４内に落下した後の状態、すなわち２回分の製氷で作られる量の氷９０が貯氷容器４内にあるときの状態を示している。図１４に示す状態に至る過程では、以下のようになる。製氷部３から面状部材２６の後方領域２６ｄの上に落下した氷９０は、後方領域２６ｄが形成する斜面を滑って前方へ移動する。このとき、後方領域２６ｄの傾斜が図１３の状態よりも急になっているので、後方領域２６ｄの上に落下した氷９０をより確実に前方へ移動させることができる。よって、図１４の状態で使用者が貯氷容器４から氷９０を取り出すと仮定した場合、貯氷容器４の手前側に氷９０が確実に集まっているので、氷９０を取り出しやすい。また、後方領域２６ｄの傾斜が急になっていることで、後方領域２６ｄの上を滑ってきた氷９０は、十分に加速され、前方領域２６ｃの上にある氷９０の上に容易に乗り上がることができる。特に、球形あるいは円柱形でなく、転がりにくい形状の氷９０であっても、後方領域２６ｄの上で氷９０を十分に加速することができる。このため、前方領域２６ｃの上に複数段に氷９０を確実に積み上げることができるので、貯氷容器４内の空間を有効に活用することができる。また、前方領域２６ｃの上にある氷９０の量が増加することで、前方領域２６ｃは、さらに下方へ変位し、底壁４ａに接する。
【００６９】
図１４の状態からさらに製氷が繰り返されて貯氷容器４内の貯氷量が増加すると、以下のようになる。後方領域２６ｄの上を滑ってきた氷９０が、前方領域２６ｃの上に積み上がった氷９０の上に乗り上がることができなくなると、後方領域２６ｄの上にも氷９０が溜まっていく。後方領域２６ｄの上に溜まった氷９０の重さによって面状部材２６がさらに伸長し、後方領域２６ｄも下方へ変位していく。最終的には、底壁４ａの上面のほぼ全体に面状部材２６が接する状態となる。
【００７０】
本実施の形態であれば、実施の形態１と類似の効果が得られる。また、貯氷容器４内の貯氷量が多いときには、薄い面状部材２６が底壁４ａに接することにより、貯氷容器４内の有効貯氷空間を十分に拡大できる。このため、多量の氷９０を貯えることが可能となる。
【００７１】
なお、上述した複数の実施の形態のうち、組み合わせることが可能な二つ以上を組み合わせて実施してもよい。また、本開示による冷蔵庫は、実施の形態１の製氷装置２に代えて、実施の形態２の製氷装置１９を備えたものでもよいし、あるいは実施の形態３の製氷装置２５を備えたものでもよい。
【符号の説明】
【００７２】
１  冷蔵庫、  ２  製氷装置、  ３  製氷部、  ４  貯氷容器、  ４ａ  底壁、  ４ｂ  前壁、  ４ｃ  後壁、  ４ｄ，４ｅ，４ｆ，４ｇ，４ｈ  ストッパー、  ６，７，８  底板、  ９，１０  伸縮部材、  １１，１２，１３  弾性部材、  １４  製氷皿、  １４ａ  凹部、  １５  皿回転装置、  １６，１７  回転軸、  １８  スライド部、  １９  製氷装置、  ２０  第一貯留部、  ２１  第二貯留部、  ２２  連通路、  ２３  調節部、  ２４  タンク、  ２５  製氷装置、  ２６  面状部材、  ２６ａ  前端部、  ２６ｂ  後端部、  ２６ｃ  前方領域、  ２６ｄ  後方領域、  ５０  制御装置、  ５０ａ  プロセッサ、  ５０ｂ  メモリ、  ５１  冷却機構、  ５２  給水装置、  ９０  氷、  １００  本体、  １０１  冷蔵室、  １０２  氷室、  １０３  冷凍室、  １０４  野菜室、  １０５  第一扉、  １０６  第二扉、  １０７，１０８，１０９  扉
【図１】
2020091049.tif 000003
【図２】
2020091049.tif 000004
【図３】
2020091049.tif 000005
【図４】
2020091049.tif 000006
【図５】
2020091049.tif 000007
【図６】
2020091049.tif 000008
【図７】
2020091049.tif 000009
【図８】
2020091049.tif 000010
【図９】
2020091049.tif 000011
【図１０】
2020091049.tif 000012
【図１１】
2020091049.tif 000013
【図１２】
2020091049.tif 000014
【図１３】
2020091049.tif 000015
【図１４】
2020091049.tif 000016